(57)【要約】【課題】携帯端末が近接された際の状況に応じて適切な処理を行うことができる。【解決手段】非接触ＩＣチップが内蔵されている携帯端末が近接された際に、リーダライタ１０は、非接触ＩＣチップの種別、非接触ＩＣチップのＩＤ、リーダライタ１０のＩＤ、時刻情報をサーバ２０に送信する。サーバ２０は送信されたそれらの情報に基づいて、リーダライタ１０に所定の処理を実行させるための制御情報を選択してリーダライタ１０に、選択した制御情報を送信する。リーダライタ１０は、サーバ２０から送信されてきた制御情報に基づいた処理を実行する。【選択図】図１
2009053790.tif 000002
【特許請求の範囲】
【請求項１】
近接された携帯端末との間で情報を読み書きする機能を有するリーダライタと、該リーダライタとネットワークを介して接続されるサーバとから構成されるリーダライタシステムであって、
前記リーダライタは、前記携帯端末が近接された際に、該携帯端末及び／又はリーダライタに関する情報を、前記ネットワークを介して前記サーバに送信する送信手段を備え、
前記サーバは、
前記リーダライタから受信した携帯端末及び／又はリーダライタに関する情報に基づいて、該リーダライタに所定の処理を実行させるための制御情報を選択する制御情報選択手段と、
前記制御情報選択手段で選択した制御情報を、前記ネットワークを介して前記リーダライタに送信する制御情報送信手段とを備え、
前記リーダライタは、前記サーバから受信した制御情報に基づいて所定の処理を実行する処理実行手段とを備える、
ことを特徴とするリーダライタシステム。
【請求項２】
前記該携帯端末及び／又はリーダライタに関する情報は、携帯端末に内蔵されている非接触ＩＣチップの種別を示す情報、該非接触ＩＣチップの識別情報、リーダライタの識別情報、リーダライタに設定されているステータス情報のうち現時点で選択されているステータス情報、現在の時刻を示す時刻情報の少なくとも１つを含む、
ことを特徴とする請求項１に記載のリーダライタシステム。
【請求項３】
前記制御情報は、近接された携帯端末に所定の情報を送信する処理を実行させるための情報を含む、
ことを特徴とする請求項１又は２に記載のリーダライタシステム。
【請求項４】
前記リーダライタは発光部を備え、
前記制御情報は、前記発光部を所定のパターンで点灯、消灯させる処理を実行させるための情報を含む、
ことを特徴とする請求項１乃至３の何れか１項に記載のリーダライタシステム。
【請求項５】
前記リーダライタは音声出力部を備え、
前記制御情報は、所定の音声を前記音声出力部から出力させる処理を実行させるための情報を含む、
ことを特徴とする請求項１乃至４の何れか１項に記載のリーダライタシステム。
【請求項６】
近接された携帯端末との間で情報を読み書きする機能を有し、ネットワークを介してサーバに接続されるリーダライタであって、
前記携帯端末が近接された際に、該携帯端末及び／又はリーダライタに関する情報を、前記ネットワークを介して前記サーバに送信する送信手段と、
前記送信手段によりサーバに送信した情報に応答して該サーバから送信されてきた制御情報を受信し、受信した制御情報に基づいて所定の処理を実行する処理実行手段とを備える、
ことを特徴とするリーダライタ。
【請求項７】
近接された携帯端末との間で情報を読み書きする機能を有するリーダライタとネットワークを介して接続されるサーバであって、
前記リーダライタから受信した携帯端末及び／又はリーダライタに関する情報に基づいて、該リーダライタに所定の処理を実行させるための制御情報を選択する制御情報選択手段と、
前記制御情報選択手段で選択した制御情報を、前記ネットワークを介して前記リーダライタに送信する制御情報送信手段とを備える、
ことを特徴とするサーバ。
【発明の詳細な説明】
【技術分野】
【０００１】
本発明は、携帯端末との間で情報の送受信が可能なリーダライタシステム、リーダライタ、および、サーバに関する。
【背景技術】
【０００２】
非接触ＩＣチップが内蔵されている携帯端末を近接させた際に、音声の出力やＬＥＤ（light-emitting diode）の点灯などとともに、該携帯端末のメーラやブラウザを起動させたり、所定のポイントを付与させたりするなどの処理を行うリーダライタがある。例えば、特許文献１は、近接された携帯端末に広告情報を送信するリーダライタを開示している。
【特許文献１】特開２００７−８７０９６号公報
【発明の開示】
【発明が解決しようとする課題】
【０００３】
上述のリーダライタは、携帯端末が近接された際に単純に広告情報を送信するという画一的な処理を行うにすぎない。そのため、上述のリーダライタでは、携帯端末に内蔵されている非接触ＩＣチップの種類や時間帯毎などの状況に応じて、適切な処理を行うことはできない。
【０００４】
本発明は上記実状に鑑みてなされたものであり、携帯端末が近接された際の状況に応じて適切な処理を行うことができるリーダライタシステム等を提供することを目的とする。
【課題を解決するための手段】
【０００５】
上記目的を達成するため、本発明の第１の観点に係るリーダライタシステムは、
近接された携帯端末との間で情報を読み書きする機能を有するリーダライタと、該リーダライタとネットワークを介して接続されるサーバとから構成されるリーダライタシステムであって、
前記リーダライタは、前記携帯端末が近接された際に、該携帯端末及び／又はリーダライタに関する情報を、前記ネットワークを介して前記サーバに送信する送信手段を備え、
前記サーバは、
前記リーダライタから受信した携帯端末及び／又はリーダライタに関する情報に基づいて、該リーダライタに所定の処理を実行させるための制御情報を選択する制御情報選択手段と、
前記制御情報選択手段で選択した制御情報を、前記ネットワークを介して前記リーダライタに送信する制御情報送信手段とを備え、
前記リーダライタは、前記サーバから受信した制御情報に基づいて所定の処理を実行する処理実行手段とを備える、
ことを特徴とする。
【０００６】
前記該携帯端末及び／又はリーダライタに関する情報は、携帯端末に内蔵されている非接触ＩＣチップの種別を示す情報、該非接触ＩＣチップの識別情報、リーダライタの識別情報、リーダライタに設定されているステータス情報のうち現時点で選択されているステータス情報、現在の時刻を示す時刻情報の少なくとも１つを含んでもよい。
【０００７】
前記制御情報は、近接された携帯端末に所定の情報を送信する処理を実行させるための情報を含んでもよい。
【０００８】
前記リーダライタは発光部を備え、
前記制御情報は、前記発光部を所定のパターンで点灯、消灯させる処理を実行させるための情報を含んでもよい。
【０００９】
前記リーダライタは音声出力部を備え、
前記制御情報は、所定の音声を前記音声出力部から出力させる処理を実行させるための情報を含んでもよい。
【００１０】
上記目的を達成するため、本発明の第２の観点に係るリーダライタは、
近接された携帯端末との間で情報を読み書きする機能を有し、ネットワークを介してサーバに接続されるリーダライタであって、
前記携帯端末が近接された際に、該携帯端末及び／又はリーダライタに関する情報を、前記ネットワークを介して前記サーバに送信する送信手段と、
前記送信手段によりサーバに送信した情報に応答して該サーバから送信されてきた制御情報を受信し、受信した制御情報に基づいて所定の処理を実行する処理実行手段とを備える、
ことを特徴とする。
【００１１】
上記目的を達成するため、本発明の第３の観点に係るサーバは、
近接された携帯端末との間で情報を読み書きする機能を有するリーダライタとネットワークを介して接続されるサーバであって、
前記リーダライタから受信した携帯端末及び／又はリーダライタに関する情報に基づいて、該リーダライタに所定の処理を実行させるための制御情報を選択する制御情報選択手段と、
前記制御情報選択手段で選択した制御情報を、前記ネットワークを介して前記リーダライタに送信する制御情報送信手段とを備える、
ことを特徴とする。
【発明の効果】
【００１２】
本発明によると、リーダライタに携帯端末が近接された際に、携帯端末のＩＤ等の情報に基づいてリーダライタに接続されているサーバがリーダライタに実行させるための最適な処理を選択するため、リーダライタは携帯端末が近接された際の状況に応じて適切な処理を行うことができる。
【発明を実施するための最良の形態】
【００１３】
以下、本発明の実施形態に係るリーダライタシステム１について説明する。本実施形態に係るリーダライタシステム１は、図１に示すように、リーダライタ１０と、サーバ２０と、ネットワークＮとを備える。ネットワークＮは、例えば、ＬＡＮ（Local Area Network）から構成され、リーダライタ１０とサーバ２０はネットワークＮを介して有線又は無線により相互に通信可能である。なお、リーダライタの数は任意である。
【００１４】
リーダライタ１０は、近接された非接触ＩＣチップが内蔵されている携帯端末（以下単に携帯端末という）と各種の情報を送受信する。リーダライタ１０は、
図２に示すように、アンテナ１１と、アナログ回路部１２と、通信部１３と、ＬＥＤ１４と、スピーカ１５と、記憶部１６と、制御部１７と、操作部１８とを備える。
【００１５】
アナログ回路部１２は、変調回路、復調回路、高周波増幅回路などを備え、近接された携帯端末に内蔵されている非接触ＩＣチップと無線通信を行い、各種情報を送受信する。アナログ回路部１２は、送信の動作として、搬送波を生成し、制御部１７より供給されたデータを用いてこの搬送波を公知の手法により変調し、得られた変調波を増幅して、近接携帯端末へとアンテナ１１を介して無線送信する。
また、アナログ回路部１２は、受信の動作として、近接された携帯端末から送信されアンテナ１１を介して受信した変調波を増幅して復調し、復調により得られたデータを制御部１７に供給する。
【００１６】
通信部１３は、ＮＩＣ（Network Interface Card）等の通信インタフェースを備え、ネットワークＮを介して、サーバ２０との間で情報を送受信する。
【００１７】
ＬＥＤ１４は、制御部１７の制御に従い、点灯、消灯する。
スピーカ１５は、制御部１７の制御に従い、音声を出力する。
【００１８】
記憶部１６は、ＲＡＭ（Random Access Memory）やＲＯＭ（Read Only Memory）等から構成され、制御部１７の動作プログラム、及び固定データ、例えば、自身のリーダライタ１０を識別するための識別情報を記憶する。
また、記憶部１６は、制御部１７が動作するための主メモリ及びワークエリアとして機能する。
また、記憶部１６は、ステータス情報を記憶する。ステータス情報は、リーダライタ１０に設定されている情報であり、リーダライタ１０が使用される場面によって任意の情報が設定されている。例えば、勤怠管理に使用されているリーダライタ１０であれば、「出勤」、「退勤」、「外出」、「戻り」などに対応するステータス情報が設定されている。また、現在どのステータス情報が選択されているかを示す情報も、記憶部１６に記憶されている。
【００１９】
制御部１７は、ＣＰＵ（Central Processing Unit）等を備え、記憶部１６に記憶されている動作プログラムを実行することにより、リーダライタ１０全体を制御する。
また、制御部１７は、タイマ、例えば、ソフトウェアタイマを備える。このタイマにより、制御部１７は、携帯端末が近接された際にそのときの時刻を取得する。
また、制御部１７は、携帯端末が近接された際に、該携帯端末の識別情報と、リーダライタの識別情報と、現在選択されているステータス情報と、そのときの時刻とをサーバ２０に送信する処理を行う。
【００２０】
操作部１８は、種々の情報を入力するためのボタン等を備える。例えば、ユーザが操作部１８を操作することにより、リーダライタ１０に設定されているステータス情報のうちで現在選択されているステータス情報を切り替える。
【００２１】
サーバ２０は、図３に示すように、通信部２１と、記憶部２２と、制御部２３とを備える。
【００２２】
通信部２１は、ＮＩＣ（Network Interface Card）等の通信インタフェースを備え、ネットワークＮを介して、リーダライタ１０との間で情報を送受信する。
【００２３】
記憶部２２は、ハードディスク装置や、ＲＡＭや、ＲＯＭ等から構成され、制御部２３の動作プログラム、及び固定データを記憶する。
また、記憶部２２は、制御部２３が動作するための主メモリ及びワークエリアとして機能する。
【００２４】
また、記憶部２２は、レスポンス情報記憶ＤＢ（データベース）２２１を備える。レスポンス情報記憶ＤＢ２２１は、リーダライタ１０が、自身の識別情報と選択されているステータス情報と時刻情報、および、近接された携帯端末から受信した情報（携帯端末が内蔵する非接触ＩＣチップの種類と識別情報（ＩＤ））をサーバ２０に送信した際に、該送信した情報に応答して、リーダライタ１０に送り返す情報（レスポンス情報）を選択するためのＤＢである。
レスポンス情報記憶ＤＢ２２１は、図４に示すように、所定の条件（送信条件）毎に該条件を満たす情報を送信してきたリーダライタ１０に対して送信するレスポンス情報を記憶する。送信条件は、リーダライタ１０の識別情報（リーダライタＩＤ）と、選択されているステータス情報と、携帯端末が内蔵する非接触ＩＣチップの種類（ＩＣチップ種別）と識別情報（ＩＣチップＩＤ）と、日付・時間帯を示す情報とから構成される。レスポンス情報は、リーダライタ１０のＬＥＤ１４の発光パターンを指示する情報と、リーダライタ１０のスピーカ１５より出力させる音声信号と、リーダライタ１０のアンテナ１１から無線送信されて、近接された携帯端末の動作を制御する情報（サービス情報）などから構成される。
例えば、図４に示すレスポンス情報記憶ＤＢ２２１の先頭エントリに記憶されている情報より、リーダライタＩＤが「RW1000〜RW2000」の範囲にあり、ステータス情報が「正常」を示す情報であり、ＩＣチップ種別が「TypeA」であり、ＩＣチップＩＤが「T000〜T300」の範囲にあり、時刻が「08:00〜18:00」の範囲にある各情報がリーダライタ１０から送信されて来た際に、該リーダライタ１０へ、ＬＥＤ１４を「低速に２秒間点滅」させ、スピーカ１５から「音声Ａ」を出力させ、リーダライタ１０のアンテナ１１から近接された携帯端末にサイトＡにアクセスさせるためのレスポンス情報が選択されることになる。
また、２番目のエントリに記憶されている情報より、ＩＣチップ種別が「FeliCa(登録商標)」であることを示す情報がリーダライタ１０から送信されて来た際に、該リーダライタ１０へ、リーダライタ１０のＬＥＤ１４を高速に３秒間点滅させ、スピーカから音声Ｂを出力させ、リーダライタ１０のアンテナ１１から、近接された携帯端末のメールを起動させるためのレスポンス情報が選択されることになる。
また、３番目のエントリに記憶されている情報より、リーダライタ１０のステータス情報が「異常」であることを示す情報がリーダライタ１０から送信されて来た際に、該リーダライタ１０へ、リーダライタ１０のＬＥＤ１４を３秒間点灯させ、スピーカから音声Ｃを出力させ、リーダライタ１０のアンテナ１１から、近接された携帯端末に警告メッセージを表示させるためのレスポンス情報が選択されることになる。
また、４番目のエントリに記憶されている情報より、日付が「１２月２４日」であることを示す情報が、リーダライタ１０から送信されて来た際に、該リーダライタ１０へ、リーダライタ１０のＬＥＤ１４を１０秒間点灯させ、スピーカから音声Ｄを出力させ、リーダライタ１０のアンテナ１１から、近接された携帯端末にクリスマス用のメッセージを表示させるためのレスポンス情報が選択されることになる。
【００２５】
制御部２３は、ＣＰＵ（Central Processing Unit）等を備え、記憶部２２に記憶されている動作プログラムを実行することにより、サーバ２０全体を制御する。
また、制御部２３は、リーダライタ１０から送信された情報に基づいて、リーダライタ１０に送り返す情報（レスポンス情報）を選択し、選択したレスポンス情報をリーダライタ１０に送信する処理を行う。
【００２６】
続いて、携帯端末のユーザがリーダライタ１０に携帯端末を近接させたときのリーダライタシステム１の動作について、図５を参照して説明する。
【００２７】
まず、ユーザは、携帯端末をリーダライタ１０に近接させて、携帯端末に内蔵されている非接触ＩＣチップより、該非接触ＩＣチップの種別とＩＤとを含んだ変調波を無線送信する。そして、リーダライタ１０は、アンテナ１１より携帯端末から無線送信された変調波を受信する。アナログ回路部１２は、アンテナ１１が受信した変調波を増幅して復調し、復調により得られた非接触ＩＣチップの種別とＩＤとを制御部１７に送信する。
【００２８】
リーダライタ１０の制御部１７は、アナログ回路部１２から非接触ＩＣチップの種別とＩＤとを受信すると（ステップＳ１１）、リーダライタ１０自身の識別情報（リーダライタＩＤ）と現時点で選択されているステータス情報とを記憶部１６より読み出す（ステップＳ１２）。
【００２９】
続いて制御部１７は、現在の時刻を取得する（ステップＳ１３）。なお、この時刻の取得は、例えば、制御部１７が備えるソフトウェアタイマによって行う。
【００３０】
続いて制御部１７は、ステップＳ１１で携帯端末から受信した非接触ＩＣチップの種別とＩＤと、ステップＳ１２で読み出したリーダライタ１０の識別情報とステータス情報と、ステップＳ１３で取得した時刻情報とを含んだ送信情報を通信部１３より、ネットワークＮを介して、サーバ２０に送信する（ステップＳ１４）。
【００３１】
サーバ２０の制御部２３は、リーダライタ１０からの送信情報を通信部２１より受信すると（ステップＳ２１）、該送信情報に基づいて、リーダライタ１０に送り返す情報（レスポンス情報）を選択する（ステップＳ２２）。
具体的に、制御部２３は、リーダライタ１０から送信されたリーダライタ１０の識別情報とステータス情報と、非接触ＩＣチップの種別と、非接触ＩＣチップのＩＤと、時刻情報とが満たす送信条件に対応付けられているレスポンス情報を、レスポンス情報記憶ＤＢ２２１から選択する。
例えば、レスポンス情報記憶ＤＢ２２１に図４に示すような情報が記憶されている場合において、リーダライタ１０からリーダライタＩＤ「ＲＷ１２３４」、ステータス情報「正常」、非接触ＩＣチップの種別「ＴｙｐｅＡ」、非接触ＩＣチップのＩＤ「Ｔ１２３」、時刻「１２時」を示す情報を受信した場合、これらの受信した情報の全てを満たす条件に対応付けられているレスポンス情報記憶ＤＢ２２１の１番目のエントリに記憶されているレスポンス情報が、このステップＳ２２の処理により選択される。
【００３２】
続いて制御部２３は、ステップＳ２２で選択したレスポンス情報を、ステップＳ２１で情報を受信したリーダライタ１０へと送信する（ステップＳ２３）。
以上で、サーバ２０の処理は終了する。
【００３３】
リーダライタ１０の制御部１７は、サーバ２０より送信されたレスポンス情報を受信すると（ステップＳ１５）、該レスポンス情報に基づいた処理を実行する（ステップＳ１６）。
例えば、図４に示すレスポンス情報記憶ＤＢ２２１の先頭エントリに記憶されているレスポンス情報をステップＳ１５の処理で受信した場合、リーダライタ１０の制御部は、ＬＥＤ１４を３秒間低速に点滅させ、スピーカ１５から音声Ａを出力させ、近接された携帯端末がサイトＡにアクセスするための情報をアナログ回路部１２を介してアンテナ１１から無線送信させる。
以上で、処理は終了する。
【００３４】
このように、本実施形態のリーダライタシステム１では、非接触ＩＣチップが内蔵された携帯端末をリーダライタ１０にかざすと、その非接触ＩＣチップのＩＤ等の情報がサーバ２０に送信され、サーバ２０はその情報に基づいて最適な情報を選択し、該選択した情報をリーダライタ１０に送り返し、リーダライタ１０はその送り返された情報に従って処理を実行する。従って、携帯端末が近接された際の状態に応じて、適切な処理を実行することができる。
【００３５】
なお、本発明を実施するにあたっては、種々の形態が考えられ、上記実施の形態に限られるものではない。
例えば、本実施携帯では、ステップＳ１３の処理でリーダライタ１０が時刻の取得を行っているが、サーバ２０側で時刻の取得を行ってもよい。この場合、時刻の取得は、リーダライタ１０からの情報を受信した際に行えばよい。
【００３６】
また、リーダライタ１０は、ステップＳ１４の処理で、リーダライタ１０の識別情報と選択されているステータス情報と非接触ＩＣチップの種別と識別情報と時刻情報とをサーバ２０に送信したが、必ずしもそれらの情報全てを送信する必要はなく、少なくとも１つの情報を送信するようにしてもよい。
【００３７】
また、ステップＳ１４の処理で送信する情報に、携帯端末の識別情報（例えば、設定されている電話番号）をサーバ２０に送信してもよく、この情報により、サーバ２０は携帯端末を識別し、識別した携帯端末に最適なレスポンス情報を選択、送信してもよい。
【００３８】
また、リーダライタ１０は、複数のＬＥＤ１４を備えてもよい。そして、レスポンス情報のＬＥＤ発光パターンには、各ＬＥＤ１４を交互に点滅させたり、順番に点灯させていくなどの制御情報を含めてもよい。
また、リーダライタ１０は、ＬＥＤ１４の替わりに、有機ＥＬ（Electro Luminescence）やＬＤ（Laser Diode）等の発光素子を備えるようにしてもよい。
【００３９】
また、リーダライタ１０は液晶ディスプレイなどから構成される表示部を備えてもよい。そして、表示部に所定のメッセージなどを表示させるための情報をレスポンス情報に含めてもよい。
【００４０】
また、リーダライタ１０は、非接触ＩＣチップが内蔵されたカードや、タグなどが近接された際にも、同様な処理を行うようにしてもよい。
【図面の簡単な説明】
【００４１】
【図１】本発明の本実施形態に係るリーダライタシステムの構成を示す図である。
【図２】図１に示すリーダライタの構成を示す図である。
【図３】図１に示すサーバの構成を示す図である。
【図４】レスポンス情報記憶ＤＢの構成を示す図である。
【図５】携帯端末をリーダライタに近接させた際に行われる処理を説明するためのフローチャートである。
【符号の説明】
【００４２】
１  リーダライタシステム
１０  リーダライタ
２０  サーバ
Ｎ  ネットワーク
【図１】
2009053790.tif 000003
【図２】
2009053790.tif 000004
【図３】
2009053790.tif 000005
【図４】
2009053790.tif 000006
【図５】
2009053790.tif 000007